(57)【特許請求の範囲】
【請求項１】
周囲の照度を検出可能な照度センサと、
前記照度センサが検出する照度が、規定された調光制御値と一致するように、発光源における発光強度を決定する発光強度決定部と、
前記照度センサが、予め規定された所定の照射条件に対応する照度を検出した場合に、前記調光制御値を変更する調光制御値変更部と、
を備え、
前記調光制御値変更部は、前記照度センサが、環境光の受光により検出が想定される最大の照度とされた判定照度閾値を上回る照度を検出した場合に、前記調光制御値を変更する
照明制御装置。
【請求項２】
前記判定照度閾値を上回る照度を検出したことを通知する通知部と、
を備える請求項１に記載の照明制御装置。
【請求項３】
前記調光制御値変更部は、
予め規定された所定の照射条件に対応する１回目の照度を検出した場合に、前記調光制御値を経時的に変化させるとともに、予め規定された所定の照射条件に対応する２回目の照度を検出した時点における前記調光制御値を、新たな調光制御値に設定する
ことを特徴とする請求項１又は請求項２に記載の照明制御装置。
【請求項４】
前記調光制御値変更部は、
前記照度センサが検出した照度が、予め規定された経時的変化パターンに一致した場合に、前記調光制御値を変更する
ことを特徴とする請求項１から請求項３の何れか一項に記載の照明制御装置。
【請求項５】
請求項１から請求項４の何れか一項に記載の照明制御装置と、
前記照明制御装置によって決定された発光強度で発光する前記発光源と、
を備える照明システム。
【請求項６】
周囲の照度を検出可能な照度センサが検出する照度が、規定された調光制御値と一致するように、発光源における発光強度を決定するステップと、
前記照度センサが、予め規定された所定の照射条件に対応する照度を検出した場合に、前記調光制御値を変更するステップと、
を有し、
前記調光制御値を変更するステップでは、前記照度センサが、環境光の受光により検出が想定される最大の照度とされた判定照度閾値を上回る照度を検出した場合に、前記調光制御値を変更する
照明制御方法。
【請求項７】
周囲の照度を検出可能な照度センサを有する照明制御装置のコンピュータを、
前記照度センサが検出する照度が、規定された調光制御値と一致するように、発光源における発光強度を決定する発光強度決定手段、
前記照度センサが、予め規定された所定の照射条件に対応する照度を検出した場合に、前記調光制御値を変更する制御値変更手段、
として機能させ、
前記制御値変更手段は、前記照度センサが、環境光の受光により検出が想定される最大の照度とされた判定照度閾値を上回る照度を検出した場合に、前記調光制御値を変更する
プログラム。
【発明の詳細な説明】
【技術分野】
【０００１】
本発明は、照明制御装置、照明システム、照明制御方法及びプログラムに関する。
【背景技術】
【０００２】
ＬＥＤ（Light Emitting Diode）照明は調光制御が可能であり、最適な明るさ（照度）で使用することが可能である。また、近年のＬＥＤ照明は、照度センサを具備することにより、外光の変化に合わせて発光強度を調整することで、屋内の照度を一定に維持することが可能とされている。
【０００３】
ＬＥＤ照明の最適な照度は、設置場所の環境等によって異なる。そのため、ＬＥＤ照明を効率的に利用するには、予め設置場所の環境等に応じて調光制御を行う必要がある。外部インターフェイスを持たないＬＥＤ照明では、調光制御値を変更する場合、例えば、天井に取り付けている制御ボックスを取り外し、カバーを開けてファームウェアの書き換え作業を行う。したがって、調光制御値を変更するためには大規模な工事を要し、改修時間、費用が膨らむ。例えば、調光制御値の変更が必要な例として、ユーザが、初期設定されている照度では明るさが足りなく、ユーザ自身で照度の最適化（調光制御値の上昇）を行いたい場合等が想定される。
【０００４】
この操作を容易に行う手法として、例えば、制御ボックス等に無線通信モジュール、又は、赤外線受光モジュールを搭載し、リモコンによる遠隔操作により調光制御値を調整可能なＬＥＤ照明が提案されている。
【先行技術文献】
【特許文献】
【０００５】
【特許文献１】特開２０１３−２３９３５９号公報
【発明の概要】
【発明が解決しようとする課題】
【０００６】
しかしながら、上述の無線モジュールは高価、且つ、実装スペースの問題が伴う。また、赤外線リモコン通信の場合は、無線モジュールほどは高価ではないものの、送信機であるリモコンの開発が別途必要となる。また、ＬＥＤ照明の調光制御値の変更は日常的に頻繁に行うものではなく、調光制御だけの為にリモコンを用意するのは開発コストの面だけではなく、ユーザ側にも物理的（保管、管理）、コスト的な負担を強いることになる。
【０００７】
この発明の目的は、上記課題に鑑みてなされたものであって、低コストかつ調光制御のためのユーザの負担を低減可能な照明制御装置、照明システム、照明制御方法及びプログラムを提供することにある。
【課題を解決するための手段】
【０００８】
上述の課題を解決するため、本発明の一態様は、周囲の照度を検出可能な照度センサと、前記照度センサが検出する照度と、規定された調光制御値と、に基づいて発光源における発光強度を決定する発光強度決定部と、前記照度センサが、予め規定された所定の照射条件に対応する照度を検出した場合に、前記調光制御値を変更する調光制御値変更部と、を備える照明制御装置である。
【０００９】
また、本発明の一態様は、上述に記載の照明制御装置と、前記照明制御装置によって決定された発光強度で発光する前記発光源と、を備える照明システムである。
【００１０】
また、本発明の一態様は、周囲の照度を検出可能な照度センサが検出する照度と、規定された調光制御値と、に基づいて発光源における発光強度を決定するステップと、前記照度センサが、予め規定された所定の照射条件に対応する照度を検出した場合に、前記調光制御値を変更するステップと、を有する照明制御方法である。
【００１１】
また、本発明の一態様は、周囲の照度を検出可能な照度センサを有する照明制御装置のコンピュータを、前記照度センサが検出する照度と、規定された調光制御値と、に基づいて発光源における発光強度を決定する発光強度決定手段、前記照度センサが、予め規定された所定の照射条件に対応する照度を検出した場合に、前記調光制御値を変更する制御値変更手段、として機能させるプログラムである。
【発明の効果】
【００１２】
上述の照明制御装置、照明システム、照明制御方法及びプログラムによれば、低コストかつ調光制御のためのユーザの負担を低減できる。
【図面の簡単な説明】
【００１３】
【図１】第１の実施形態に係る照明制御装置を示す図である。
【図２】第１の実施形態に係る照明システムの機能構成を示す図である。
【図３】第１の実施形態に係る調光制御値変更部の機能を説明する第１の図である。
【図４】第１の実施形態に係る調光制御値変更部の機能を説明する第２の図である。
【図５】第１の実施形態に係る照明システムに対し、作業者が調光作業を行う様子を示している。
【図６】第１の実施形態に係る調光制御値変更部の機能を説明する第３の図である。
【図７】第１の実施形態に係る調光制御値変更部の機能を説明する第４の図である。
【図８】第１の実施形態に係るＣＰＵの処理フローを示す図である。
【発明を実施するための形態】
【００１４】
＜第１の実施形態＞
以下、第１の実施形態について、図面を参照しながら詳細に説明する。
図１は、第１の実施形態に係る照明制御装置の機能構成を示す図である。
図１に示す照明制御装置１０は、発光源であるＬＥＤ照明の発光強度を制御する装置である。図１に示すように、照明制御装置１０は、周囲の照度を検出可能な照度センサ１１０と、照度センサ１１０が検出する照度と、規定された調光制御値と、に基づいて発光源における発光強度を決定する発光強度決定部１０１と、照度センサ１１０が予め規定された所定の照射条件に対応する照度を検出した場合に、上記調光制御値を変更する調光制御値変更部１０２と、を備えている。
【００１５】
図２は、第１の実施形態に係る照明システムの機能構成を示す図である。
図２に示すように、照明システム１は、照明制御装置１０と、電源ユニット１１と、ＬＥＤ照明１２（発光源）と、を備えている。
電源ユニット１１は、建物等に予め敷設された電源系統から所定の電力（ＡＣ電源１００Ｖ）の入力を受け付けて、照明制御装置１０及びＬＥＤ照明１２に電力を供給する。
ＬＥＤ照明１２は、照明制御装置１０から電源ユニット１１を経由して出力される制御信号を受け付けて、当該制御信号に応じた発光強度で発光する。
【００１６】
次に、照明制御装置１０の機能構成について説明する。
図２に示すように、照明制御装置１０は、ＣＰＵ（Central Processing Unit）１００と、照度センサ１１０と、ＬＥＤランプ１２０（通知部）と、調光制御値保持部１３０と、を備えている。
ＣＰＵ１００は、照明制御装置１０の全体の動作を司る。本実施形態に係るＣＰＵ１００は、２種類の動作モード（後述するセンサモード、リモコンモード）に応じた動作を実行する。
照度センサ１１０は、周囲の明るさの度合いである照度を検出して、ＣＰＵ１００に検出結果（検出照度）を出力する。照度センサ１１０は、照明システム１の自動調光（照度の自動調整）機能を実現する目的で設けられたセンサである。
ＬＥＤランプ１２０は、上記動作モード（センサモード又はリモコンモード）の切り替わりをユーザに通知するための通知部として機能する。なお、当該通知部は、ＬＥＤランプ１２０としての態様に限定されることはなく、例えば、音声出力に基づいてユーザに通知する態様であってもよい。
調光制御値保持部１３０は、現時点における調光制御値を記憶する記憶領域である。調光制御値保持部１３０は、例えば、ファームウェアにより実装されている。
【００１７】
ＣＰＵ１００は、所定のプログラムを読み込むことで発光強度決定部１０１及び調光制御値変更部１０２としての機能を発揮する。
【００１８】
発光強度決定部１０１は、照度センサ１１０が検出した周囲の照度を示す照度検出値を逐次受け付けるとともに、調光制御値保持部１３０において予め保持された調光制御値を参照する。そして、発光強度決定部１０１は、照度センサ１１０が出力する照度検出値が、調光制御値保持部１３０に保持された調光制御値と一致するようにＬＥＤ照明１２の発光強度を決定する。発光強度決定部１０１は、ＬＥＤ照明１２が発光する光が、決定された発光強度となるように、ＬＥＤ照明１２に向けて制御信号を出力する。
例えば、窓などから入射する外光により室内が十分に明るい場合、発光強度決定部１０１は、ＬＥＤ照明１２の発光強度が相対的に低くなるように制御する。他方、外光がほとんどなく、ＬＥＤ照明１２による照射がなければ室内が暗くなってしまうような場合には、発光強度決定部１０１は、ＬＥＤ照明１２の発光強度が相対的に高くなるように制御する。このように、ＣＰＵ１００が、照度センサ１１０の検出照度値と、規定された調光制御値と、に基づいてＬＥＤ照明１２の発光強度を制御する動作モードを「センサモード」と称する。
【００１９】
調光制御値変更部１０２は、照度センサ１１０が検出する照度検出値を逐次受け付けて、当該照度検出値が、予め規定された照射条件を満たした場合に、調光制御値保持部１３０に保持されている調光制御値を変更する処理を行う。このように、ＣＰＵ１００（調光制御値変更部１０２）が調光制御値を変更する動作モードを「リモコンモード」と称する。
【００２０】
図３は、第１の実施形態に係る調光制御値変更部の機能を説明する第１の図である。
図３には、照度センサ１１０が検出する照度の範囲を模式的に示している。ここで、調光制御値変更部１０２は、予め規定された判定照度閾値Ｌｔｈを記憶している。この判定照度閾値Ｌｔｈは、外光（窓などから入射する環境光）の受光により検出が想定される最大の照度で規定される。
ここで、本実施形態に係る照明システム１は、一般的なビルや学校の屋内における天井に設置されることが想定されている。照明システム１が屋内の天井に設置された場合、当該照明システム１の照度センサ１１０は、太陽光を直接受光することはなく、床面等に反射した反射光を受光する。この場合、例えば、照度センサ１１０は、外光の受光のみで１０００ｌｘを上回ることはないことが想定される。したがって、本実施形態において、調光制御値変更部１０２は、判定照度閾値Ｌｔｈ＝１０００ｌｘを予め記憶している。判定照度閾値Ｌｔｈは、このように、環境光の受光により検出が想定される最大の照度に基づいて規定される。
【００２１】
調光制御値変更部１０２は、判定照度閾値Ｌｔｈを下回る照度が検出されている間は、特別な動作を実行することはない。即ち、照度センサ１１０が単に外光を受光しているのみの場合、ＣＰＵ１００はセンサモードで動作し、検出照度が一定となるようにＬＥＤ照明１２の発光強度を制御する。
【００２２】
一方、本実施形態に係る調光制御値変更部１０２は、照度センサ１１０を通じて判定照度閾値Ｌｔｈを上回る照度を検出した場合（、かつ、後述する経時的変化パターンに一致した場合）に、調光制御値を変更する動作を開始（即ち、リモコンモードの動作を開始）する。
以下、調光制御値変更部１０２の動作について、より具体的に説明する。
【００２３】
図４は、第１の実施形態に係る調光制御値変更部の機能を説明する第２の図である。
図４は、横軸に時刻を示し、縦軸に照度センサ１１０が検出する検出照度を示している。ここで、本実施形態に係る調光制御値変更部１０２は、判定照度閾値Ｌｔｈを上回る検出照度が、予め規定された経時的変化パターンＰ１に一致した場合に、調光制御値を変更する動作を開始する。
【００２４】
調光制御値変更部１０２は、例えば、図４に示すような検出照度の経時的変化パターンＰ１を予め規定している。具体的には、経時的変化パターンＰ１は、ある時刻ｔ０から時刻ｔ１まで、１０００ｌｘ（判定照度閾値Ｌｔｈ）を上回る連続照射が実施される第１照射期間ｑ１、ある時刻ｔ２から時刻ｔ３まで同様の連続照射が実施される第２照射期間ｑ３、及び、時刻ｔ１から時刻ｔ２までの期間を１０００ｌｘ以下とする非照射期間ｑ２により規定される。
ここで、第１照射期間ｑ１及び非照射期間ｑ２は、例えば、５秒以上１０秒未満に、第２照射帰還ｑ３は、例えば、１秒以上３秒未満に規定される。
即ち、ＣＰＵ１００は、第１照射期間ｑ１、第２照射期間ｑ３及び非照射期間ｑ２に基づいて規定される経時的変化パターンＰ１に一致する照度を受光した場合に、センサモードからリモコンモードに遷移する。リモコンモードに遷移すると、ＣＰＵ１００は、リモコンモードで動作していることを作業者に通知するため、ＬＥＤランプ１２０を点灯させる。
【００２５】
図５は、第１の実施形態に係る照明システムに対し、作業者が調光作業を行う様子を示している。
図５に示すように、作業者Ｇは、所定の携帯型照明器具ｇ１を用いて、天井に取り付けられた照度センサ１１０に向けて光照射を行う。ここで携帯型照明器具ｇ１は、例えば、作業者Ｇ自身が所有する携帯端末装置（スマートフォン等）であってもよい。一般的なスマートフォンに付属する照明機能であっても、当該スマートフォンの発光源を照度センサ１１０に近接させることで、１０００ｌｘを上回る光を照射させることが可能である。なお、携帯型照明器具ｇ１は、懐中電灯等、照度センサ１１０において判定照度閾値Ｌｔｈ（１０００ｌｘ）を上回る照度の光を投光可能な機器であればいかなる態様であってもよい。
【００２６】
作業者Ｇは、携帯型照明器具ｇ１の発光源を照度センサ１１０に近接させながら、経時的変化パターンＰ１に応じたタイミングで光照射のＯＮ、ＯＦＦ操作を行う。本実施形態においては、作業者Ｇは、携帯型照明器具ｇ１を操作して、照度センサ１１０に向けて光照射を５秒〜１０秒の間ＯＮ状態とする（第１照射期間ｑ１に対応（図４参照））。その後作業者Ｇは、光照射をＯＦＦし、そのまま５秒〜１０秒間待機する（非照射期間ｑ２に対応）。さらにその後、作業者Ｇは、再度、光照射のＯＮを１秒〜３秒間継続する（第２照射期間ｑ３に対応）。このとき、調光制御値変更部１０２は、照度センサ１１０を通じて受け付けた照度検出値の変化パターンが、予め規定された経時的変化パターンＰ１（図４参照）に一致したことを検出し、直ちに、調光制御値を変更する処理を開始する。
作業者Ｇは、ＬＥＤランプ１２０の点灯を視認することで、自身の操作により、意図した通りにリモコンモードに遷移したことを認識することができる。
【００２７】
図６は、第１の実施形態に係る調光制御値変更部の機能を説明する第３の図である。
図６（ａ）は、横軸に時刻を示し、縦軸に調光制御値変更部１０２が設定する調光制御値を示している。
本実施形態に係る調光制御値変更部１０２は、時刻ｔ３において、予め規定された所定の照射条件（経時的変化パターンＰ１）に対応する１回目の照度を検出すると、図６（ａ）に示すように、調光制御値を経時的に変化させる。具体的には、図６（ａ）に示すように、調光制御値変更部１０２は、リモコンモードを開始する時刻ｔ３から、経時的に、段階的に調光制御値を上昇させていく。本実施形態において、調光制御値変更部１０２は、最小レベル（調光制御値＝３５０ｌｘ）から、一定時間Δｔ経過ごとに、ステップ状に調光制御値を上昇させる。そして、最大レベル（調光制御値＝７００ｌｘ）に到達した後は、最小レベルに戻り、再度、一定時間Δｔ経過ごとに調光制御値を徐々に上昇させる処理を繰り返す。このように、調光制御値変更部１０２は、一定周期（周期Ｔ）ごとに、調光制御値を最小レベルから最大レベルまで徐々に変化させる処理を繰り返す。
【００２８】
図６（ｂ）は、横軸に時刻を示し、縦軸に照度センサ１１０が検出する検出照度を示している。
調光制御値変更部１０２が、図６（ａ）に示すような調光制御値の変更処理を繰り返す中で、作業者Ｇ（図５参照）は、所望のタイミングで、逐次変化する調光制御値を決定するための信号（決定信号ｑ４）を入力する。例えば、作業者Ｇは、調光制御値が最大レベル（７００ｌｘ）となった時刻ｔ５で、判定照度閾値Ｌｔｈ（＝１０００ｌｘ）を上回る照度の光を１パルス（例えば、１秒程度）照射する。調光制御値変更部１０２は、判定照度閾値Ｌｔｈを上回る１パルスの信号（決定信号ｑ４）に基づく照度を検出すると、時刻ｔ５における調光制御値を調光制御値保持部１３０に保持する。即ち、調光制御値変更部１０２は、予め規定された所定の照射条件に対応する２回目の照度（決定信号ｑ４）を検出した時点における調光制御値を、新たな調光制御値に設定する。
【００２９】
なお、作業者Ｇは、逐次変化する調光制御値を所望の値に決定するために、別途用意した照度センサをＬＥＤ照明１２の近くに配し、当該ＬＥＤ照明１２の実際の照度を観測しながら決定信号ｑ４を入力してもよい。例えば、作業者Ｇは、ＬＥＤ照明１２の照射により、別途設置した照度センサに観測される照度が所望する値（例えば、７００ｌｘ）となったタイミングで決定信号ｑ４をなす光を照度センサ１１０に向けて投光する。
【００３０】
図７は、第１の実施形態に係る調光制御値変更部の機能を説明する第４の図である。
図７は、横軸に時刻を示し、縦軸に照度センサ１１０が検出する検出照度を示している。本実施形態に係る調光制御値変更部１０２は、判定照度閾値Ｌｔｈを上回る検出照度が、予め規定された経時的変化パターンＰ２に一致した場合に、調光制御値を変更する動作を終了する。
【００３１】
調光制御値変更部１０２は、例えば、図７に示すような検出照度の経時的変化パターンＰ２を予め規定している。具体的には、経時的変化パターンＰ２は、経時的変化パターンＰ１（図４参照）と同様に、ある時刻ｔ６から時刻ｔ７まで、１０００ｌｘ（判定照度閾値Ｌｔｈ）を上回る連続照射が実施される第１照射期間ｑ５、ある時刻ｔ８から時刻ｔ９まで同様の連続照射が実施される第２照射期間ｑ７、及び、時刻ｔ７から時刻ｔ８までの期間を１０００ｌｘ以下とする非照射期間ｑ６により規定される。
ここで、第１照射期間ｑ５、第２照射時間ｑ７及び非照射期間ｑ６として規定される時間の長さは、経時的変化パターンＰ１における第１照射期間ｑ１、第２照射時間ｑ３及び非照射期間ｑ５と同様とされている。
即ち、ＣＰＵ１００は、第１照射期間ｑ５、第２照射時間ｑ７及び非照射期間ｑ６に基づいて規定される経時的変化パターンＰ２に一致する照度を受光した場合に、リモコンモードから再度センサモードに遷移する。センサモードに遷移すると、ＣＰＵ１００は、センサモードで動作していることを作業者に通知するため、ＬＥＤランプ１２０を消灯させる。
【００３２】
作業者Ｇは、決定信号ｑ４の入力（図６参照）により、調光制御値を所望する値に設定したあと、続いて経時的変化パターンＰ２の入力作業を行うことで、照明制御装置１０の動作モードをリモコンモードからセンサモードに戻す。これにより、発光強度決定部１０１は、新たに設定された調光制御値を参照しながら、ＬＥＤ照明１２の発光強度を決定する。
【００３３】
図８は、第１の実施形態に係るＣＰＵの処理フローを示す図である。
次に、本実施形態に係るＣＰＵ１００の処理の流れについて、図８を参照しながら順を追って説明する。図８に示す処理フローは、ステップＳ０１において、まず、センサモードで動作する例を示している。
ＣＰＵ１００は、内部メモリにおいて、リモコンモードフラグ及び状態監視タイマフラグに‘０’をセットする（ステップＳ０１）。ここで、「リモコンモードフラグ」とは、ＣＰＵ１００がリモコンモードで動作しているか否か（‘０’のときはセンサモード、‘１’のときはリモコンモード）を示すフラグである。「状態監視タイマフラグ」とは、ＣＰＵ１００が予め規定された所定時間の経過により動作モードを切り替える処理を行うための状態監視タイマを動作しているか否か（‘０’のときは状態監視タイマが非動作、‘１’のときは状態監視タイマ動作中）を示すフラグである。また、「状態監視タイマ」は、例えば、作業者Ｇによる操作が所定時間連続して検出されなかった場合に、動作モードを切り替えるための処理に用いるタイマである。
【００３４】
次に、調光制御値変更部１０２は、照度センサ１１０を通じて検出する照度が、１０００ｌｘ（判定照度閾値Ｌｔｈ）を上回る照度の予め規定された所定パターン（経時的変化パターンＰ１（図４参照））に一致しているか否かを判定する（ステップＳ０２）。照度センサ１１０において経時的変化パターンＰ１と一致する照度の変化パターンが検出されない場合（ステップＳ０２：Ｎ）、調光制御値変更部１０２は、状態監視タイマフラグが‘１’、かつ、所定時間が経過したか否か（所定時間のカウントが“終了”したか否か）を判定する（ステップＳ０３）。ステップＳ０１を経たセンサモードで動作している場合、状態監視タイマフラグが‘０’であるから（ステップＳ０３：Ｎ）、ＣＰＵ１００は、ステップＳ０２〜Ｓ０３を繰り返して、センサモードで動作し続ける。
センサモードにおいて、ＣＰＵ１００（発光強度決定部１０１）は、調光制御値保持部１３０において予め規定された調光制御値にしたがってＬＥＤ照明１２の発光強度を決定する。具体的には、発光強度決定部１０１は、照度センサ１１０を通じて検出される照度が調光制御値と一致するようにＬＥＤ照明１２の発光強度を決定し、当該決定した発光強度を示す制御信号をＬＥＤ照明１２に向けて出力する。
【００３５】
一方、照度センサ１１０を通じて経時的変化パターンＰ１と一致する照度の変化パターンが検出された場合（ステップＳ０２：Ｙ）、ＣＰＵ１００は、現時点においてリモコンモードフラグが‘０’か否かを判定する（ステップＳ０４）。リモコンモードフラグが‘０’であった場合には（ステップＳ０４：Ｙ）、ＣＰＵ１００は、リモコンモードフラグに‘１’をセットして、動作モードをセンサモードからリモコンモードに切り替える（ステップＳ０５）。このとき、ＣＰＵ１００は、ＬＥＤランプ１２０を点灯させて、センサモードからリモコンモードに遷移したことを作業者Ｇに通知する。
また、ＣＰＵ１００は、リモコンモードに遷移したと同時に、状態監視タイマフラグに‘１’をセットして、状態監視タイマによる経過時間のカウント処理を開始させる（ステップＳ０６）。
【００３６】
ＣＰＵ１００は、状態監視タイマの開始時から予め規定された所定時間経過したか否かを判定する（ステップＳ０７）。ＣＰＵ１００は、状態監視タイマが上記所定時間を経過しない間は（ステップＳ０７：Ｎ）、リモコンモードにおける動作（後述するステップＳ０８及びステップＳ０９）を繰り返す。
リモコンモードにおいて、調光制御値変更部１０２は、調光制御値の変更処理として、調光制御値を経時的に徐々に変更する処理（図６（ａ）参照）を行う（ステップＳ０８）。このとき、調光制御値変更部１０２は、作業者Ｇによる判定照度閾値Ｌｔｈを上回る照射（決定信号ｑ４をなす光）を検出したか否かを判定する（ステップＳ０９）。決定信号ｑ４を検出しない場合（ステップＳ０９：Ｎ）、調光制御値変更部１０２は、ステップＳ０８を経て、図６（ａ）に示す調光制御値の経時的な変更を引き続き実施する。
決定信号ｑ４を検出すると（ステップＳ０９：Ｙ）、調光制御値変更部１０２は、その時点における調光制御値を調光制御値保持部１３０に書き込んで、新たな調光制御値として設定する（ステップＳ１０）。
なお、ＣＰＵ１００は、リモコンモードにおいて決定信号ｑ４の検出が無いまま所定時間が経過した場合（ステップＳ０７：Ｙ）、強制的にセンサモードに戻る処理（後述するステップＳ１１、Ｓ１２）を実施する。
【００３７】
ステップＳ１０にて新たな調光制御値を設定すると、ＣＰＵ１００は、ステップＳ０２〜Ｓ０３の処理に戻る。具体的には、ステップＳ０２にて、調光制御値変更部１０２は、照度センサ１１０を通じて検出する照度の変化パターンが、経時的変化パターンＰ２に一致しているか否かを判定する。
経時的変化パターンＰ２に一致する照度の変化パターンが検出されない場合（ステップＳ０２：Ｎ）、ＣＰＵ１００は、ステップＳ０３にて、状態監視タイマによりカウント中の経過時間が予め規定された所定時間を経過したか否か（所定時間のカウントが“終了”したか否か）を判定する。
状態監視タイマの動作開始時から所定時間が経過していない場合（ステップＳ０３：Ｎ）、ステップＳ０２で経時的変化パターンＰ２が検出されるまで待機する。
経時的変化パターンＰ２の検出がないまま所定時間が経過した場合（ステップＳ０３：Ｙ）、ＣＰＵ１００は、状態監視タイマの動作を停止してカウント時間を初期化する（ステップＳ１１）。続いて、ＣＰＵ１００は、リモコンモードフラグ及び状態監視タイマフラグに‘０’をセットして、センサモードへ遷移する（ステップＳ１２）。
【００３８】
経時的変化パターンＰ２に一致する照度の変化パターンが検出された場合（ステップＳ０２：Ｙ）、ＣＰＵ１００は、ステップＳ０４で、現時点においてリモコンモードフラグが‘０’か否かを判定する。ステップＳ１０を経てきた場合、ＣＰＵ１００は、リモコンモードとなっているから（ステップＳ０４：Ｎ）、ステップＳ１１及びステップＳ１２の処理によりセンサモードに復帰し、一連の処理を終了する。また、このとき、ＣＰＵは、ＬＥＤランプ１２０を消灯させて、リモコンモードからセンサモードに遷移したことを作業者Ｇに通知する。
【００３９】
以上、第１の実施形態に係る照明制御装置１０は、照度センサ１１０が検出する照度と、別途規定された調光制御値と、の偏差に基づいてＬＥＤ照明１２の発光強度を決定する発光強度決定部１０１と、照度センサ１１０を通じて予め規定された所定の照射条件（経時的変化パターンＰ１）に対応する照度を検出した場合に、調光制御値を変更する調光制御値変更部１０２と、を有する。
これにより、作業者Ｇは、自動調光機能の実現のために設けられた照度センサ１１０への意図的な照射により調光制御値の変更作業を遠隔的に実施することができる。したがって、従前のように、ボックスのカバーを開けてファームウェアの書き換え作業を行う必要がなくなり、調光制御値の変更に係る作業負担を軽減することができる。
また、遠隔操作のために従来用いられていた無線通信モジュールや赤外線リモコン通信モジュールを実装する必要がないため、照明制御装置としての部品点数の削減に寄与し、製造コストを削減できる。
【００４０】
また、本実施形態に係る調光制御値変更部１０２は、予め規定された所定の照射条件（経時的変化パターンＰ１）に対応する１回目の照度を検出した場合に、調光制御値を経時的に変化させる（ステップＳ０８）ととともに、予め規定された所定の照射条件に対応する２回目の照度（決定信号ｑ４）を検出した時点における調光制御値を、新たな調光制御値に設定する。
このようにすることで、作業者Ｇは、自身が所有する携帯型照明器具ｇ１を用いて、簡素な操作で、調光制御値を所望に設定することができる。したがって、遠隔操作用のリモコンを別途開発する必要がないため、開発コストを一層軽減することができる。
【００４１】
また、本実施形態に係る調光制御値変更部１０２は、環境光の受光により検出が想定される最大の照度を示す判定照度閾値Ｌｔｈを上回る照度を検出した場合に、調光制御値を変更する動作モード（リモコンモード）に遷移する。
このようにすることで、通常の動作時（センサモード時）において、意図せずにリモコンモードに遷移してしまうことを抑制することができる。
【００４２】
また、本実施形態に係る調光制御値変更部１０２は、照度センサ１１０が検出した照度が、予め規定された経時的変化パターンＰ１に一致した場合に、調光制御値を変更する動作モードに遷移する。
このようにすることで、照度センサ１１０が意図せずに判定照度閾値Ｌｔｈを上回る照度を検出した場合であっても、調光制御値変更部１０２は、経時的変化パターンＰ１に一致しない限りリモコンモードに遷移しない。したがって、通常の動作時（センサモード時）において、意図せずにリモコンモードに遷移してしまうことを一層抑制することができる。
【００４３】
以上、第１の実施形態に係る照明システム１について、詳細に説明したが、本実施形態に係る照明システム１の具体的な態様は、上述のものに限定されることはなく、要旨を逸脱しない範囲内において種々の設計変更等を加えることは可能である。
例えば、調光制御値変更部１０２が規定する経時的変化パターンＰ１は、図４に示すような態様に限定されることはない。例えば、他の実施形態に係る経時的変化パターンＰ１は、判定照度閾値Ｌｔｈを上回る単一の照射期間（１パルス）を検出した場合に、リモコンモードに遷移してもよい。
また、他の実施形態に係る調光制御値変更部１０２は、予め規定された経時的変化パターンＰ１を規定する複数の照射期間（第１照射期間ｑ１、第２照射期間ｑ３）の一部又は全部が、判定閾値Ｌｔｈ以下の照度として規定される態様であってもよい。
【００４４】
また、本実施形態に係る調光制御値変更部１０２は、センサモードからリモコンモードに移行するために用いられる経時的変化パターンＰ１（図４参照）と、リモコンモードからセンサモードに復帰するために用いられる経時的変化パターンＰ２（図７参照）と、同一であるものとして説明した。しかし、他の実施形態に係る調光制御値変更部１０２は、この態様に限定されることはなく、経時的変化パターンＰ１と経時的変化パターンＰ２とが互いに異なる変化パターンで規定されるものであってもよい。
【００４５】
また、本実施形態に係る調光制御値変更部１０２は、経時的変化パターンＰ１に対応する１回目の照度を検出した場合に、調光制御値を経時的に変化させるとともに、予め規定された所定の照射条件に対応する２回目の照度（決定信号ｑ４）を検出した時点における調光制御値を、新たな調光制御値に設定するものとして説明した。しかし、調光制御値変更部１０２の動作は、この態様に限定されることはなく、様々な態様に変更可能である。例えば、他の実施形態に係る調光制御値変更部１０２は、予め、異なる複数の経時的変化パターンＰ１１、Ｐ１２、Ｐ１３、・・・を規定してもよい。この場合、調光制御値変更部１０２は、照度センサ１１０を通じて経時的変化パターンＰ１１、Ｐ１２、・・・の何れかに対応する照度を検出した場合に、調光制御値を、当該経時的変化パターンＰ１１、Ｐ１２、・・・の各々に対応する値に変更する。このようにすることで、作業者Ｇは、所望する調光制御値となるまで待機する必要がないので、調光制御値の変更作業に要する時間を短縮することができる。
【００４６】
また、本実施形態に係るＣＰＵ１００は、リモコンモードで動作している最中は、ＬＥＤランプ１２０が点灯することで、リモコンモードで動作していることを作業者Ｇ自身が認識できるものとしていたが、他の実施形態においてはこの態様に限定されない。
例えば、他の実施形態に係るＬＥＤランプ１２０（通知部）は、判定照度閾値を上回る照度を検出するものであってもよい。例えば、ＣＰＵ１００は、照度センサ１１０が判定照度閾値を上回る照度を検出している場合に、ＬＥＤランプ１２０を点滅表示させる。このようにすることで、作業者Ｇは、携帯型照明器具ｇ１をもって照度センサ１１０に向けて投光する際に、照射すべき光量が足りているか否かを認識することができる。したがって、調光制御値の変更作業を実施する際の作業性が向上する。
【００４７】
また、上述の各実施形態においては、ＣＰＵ１００の機能を実現するためのプログラムをコンピュータ読み取り可能な記録媒体に記録して、この記録媒体に記録されたプログラムをコンピュータシステムに読み込ませ、実行することにより各手順を行うものとしている。ここで、上述したＣＰＵ１００の各処理の過程は、プログラムの形式でコンピュータ読み取り可能な記録媒体に記憶されており、このプログラムをコンピュータが読み出して実行することによって上記各種処理が行われる。ここで、コンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
また、ＣＰＵ１００の各機能構成が、ネットワークで接続される複数の装置に渡って具備される態様であってもよい。
【００４８】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【符号の説明】
【００４９】
１  照明システム
１０  照明制御装置
１００  ＣＰＵ
１０１  発光強度決定部
１０２  調光制御値変更部
１１０  照度センサ
１２０  ＬＥＤランプ（通知部）
１３０  調光制御値保持部
１１  電源ユニット
１２  ＬＥＤ照明（発光源）
【図１】
0006493951.tif 000002
【図２】
0006493951.tif 000003
【図３】
0006493951.tif 000004
【図４】
0006493951.tif 000005
【図５】
0006493951.tif 000006
【図６】
0006493951.tif 000007
【図７】
0006493951.tif 000008
【図８】
0006493951.tif 000009